(57)【要約】【課題】できるだけ多くのレンズに関する情報を取得してこの情報を利用する。【解決手段】デジタルカメラ２０は、撮影時に変化する設定値が表示されたレンズ筒の外観画像であるレンズ画像を取得し、レンズ画像を解析し、レンズ画像に含まれる指標と数字とを画像認識により認識し、この指標が指す数字を設定値として取得し、取得した設定値を表示出力する。この設定値には、レンズのＦ値、距離計値及び焦点距離のうち少なくとも１以上を含む。このように、例えば、電子接点を有さないレンズ筒が取り付けられたときでも外観画像からレンズ情報を取得することができる。【選択図】図１
2012186726.tif 000002
【特許請求の範囲】
【請求項１】
レンズを有し撮影時に変化する設定値が表示されるレンズ筒を取り付ける取付部と、
前記設定値を含む前記取付部に取り付けられたレンズ筒の外観の画像であるレンズ画像を取得する画像取得部と、
前記レンズ画像を解析し前記設定値を取得する情報取得部と、
前記取得した設定値を出力する出力部と、
前記レンズを通った光により本撮影を行う本撮影部と、
を備えた撮影装置。
【請求項２】
前記情報取得部は、前記レンズ画像に含まれる指標と数字とを画像認識により認識し、該指標が指す数字を前記設定値として取得する、請求項１に記載の撮影装置。
【請求項３】
前記情報取得部は、前記設定値として、レンズのＦ値、Ｔ値、距離計値及び焦点距離のうち少なくとも１以上を取得する、請求項１又は２に記載の撮影装置。
【請求項４】
前記画像取得部は、前記撮影装置の筐体上における前記取付部の上方の領域に配設されている、請求項１〜３のいずれか１項に記載の撮影装置。
【請求項５】
前記画像取得部は、前記レンズ画像を撮影する撮像素子と、前記取付部に取り付けられたレンズ筒と前記撮像素子との位置を相対的に変化させる位置可変部とを備えている、請求項１〜４のいずれか１項に記載の撮影装置。
【請求項６】
前記位置可変部は、前記撮影装置の筐体側と前記取付部に取り付けられたレンズ筒の先端側との間を移動可能に前記撮像素子を支持する支持部材を備えている、請求項５に記載の撮影装置。
【請求項７】
前記位置可変部は、前記撮像素子を移動させる駆動部を備え、
前記駆動部は、前記情報取得部が前記レンズ画像から前記設定値を取得するまで前記撮像素子の位置を移動させる、請求項５又は６に記載の撮影装置。
【請求項８】
請求項１〜７のいずれか１項に記載の撮影装置であって、
画像を表示する表示部、を備え、
前記出力手段は、前記取得した設定値を前記表示部へ出力する、撮影装置。
【請求項９】
請求項１〜８のいずれか１項に記載の撮影装置であって、
前記本撮影の画像データを記憶する記憶部、を備え、
前記出力手段は、前記本撮影の画像データに対応付け、前記取得した設定値を前記記憶部へ出力する、撮影装置。
【発明の詳細な説明】
【技術分野】
【０００１】
本発明は、撮影装置に関する。
【背景技術】
【０００２】
従来、撮影装置としては、レンズユニットの光軸の角度の変化量と２枚の画像の変化量とに基づいて焦点距離を算出し、この焦点距離を画像データのタグ情報として記録したり主点の算出やぶれ補正係数の算出に利用するものが提案されている（例えば、特許文献１参照）。この装置では、レンズ側のメモリーやユーザー入力によらずに、交換型レンズユニットの焦点距離情報を取得することができる。
【先行技術文献】
【特許文献】
【０００３】
【特許文献１】特開２０１０−２８３４６３号公報
【発明の概要】
【発明が解決しようとする課題】
【０００４】
しかしながら、上述の装置では、電子的な接続等によるレンズユニットからの取得に限らずに、焦点距離を得ることができるが、レンズユニットを通して被写体を撮影した撮影画像データに基づくレンズユニットの設定値しか得られないなど、得られる情報に制限があった。このため、できるだけ多くのレンズに関する情報を取得することが望まれていた。
【０００５】
本発明は、このような課題に鑑みなされたものであり、できるだけ多くのレンズに関する情報を取得してこの情報を利用することができる撮影装置を提供することを主目的とする。
【課題を解決するための手段】
【０００６】
本発明は、上述の主目的を達成するために以下の手段を採った。
【０００７】
本発明の撮影装置は、
レンズを有し撮影時に変化する設定値が表示されるレンズ筒を取り付ける取付部と、
前記設定値を含む前記取付部に取り付けられたレンズ筒の外観の画像であるレンズ画像を取得する画像取得部と、
前記レンズ画像を解析し前記設定値を取得する情報取得部と、
前記取得した設定値を出力する出力部と、
前記レンズを通った光により本撮影を行う本撮影部と、
を備えたものである。
【０００８】
この撮影装置では、撮影時に変化する設定値が表示されたレンズ筒の外観画像であるレンズ画像を取得し、レンズ画像を解析し設定値を取得し、取得した設定値を出力する。このように、例えば、電子接点を有さないレンズ筒が取り付けられたときでも外観画像からレンズ情報（設定値）を取得することができる。したがって、できるだけ多くのレンズに関する情報を取得してこれを利用することができる。
【０００９】
本発明の撮影装置において、前記情報取得部は、前記レンズ画像に含まれる指標と数字とを画像認識により認識し、該指標が指す数字を前記設定値として取得するものとしてもよい。
【００１０】
本発明の撮影装置において、前記情報取得部は、前記設定値として、レンズのＦ値、Ｔ値、距離計値及び焦点距離のうち少なくとも１以上を取得するものとしてもよい。こうすれば、Ｆ値やＴ値、距離計の値、焦点距離などの情報をあとで利用することができる。
【００１１】
本発明の撮影装置において、前記画像取得部は、前記撮影装置の筐体上における前記取付部の上方の領域に配設されているものとしてもよい。こうすれば、取付部に取り付けられたレンズ筒に表示された設定値を取得しやすい。
【００１２】
本発明の撮影装置において、前記画像取得部は、前記レンズ画像を撮影する撮像素子と、前記取付部に取り付けられたレンズ筒と前記撮像素子との位置を相対的に変化させる位置可変部とを備えているものとしてもよい。こうすれば、撮像素子を移動させてレンズ筒に表示された設定値を取得することが可能であるため、より多種のレンズ筒のレンズに関する情報を得ることができる。このとき、前記位置可変部は、前記撮影装置の筐体側と前記取付部に取り付けられたレンズ筒の先端側との間を移動可能に前記撮像素子を支持する支持部材を備えているものとしてもよい。こうすれば、支持部材により支持することにより、撮像素子を移動しやすい。また、前記位置可変部は、前記撮像素子を移動させる駆動部を備え、前記駆動部は、前記情報取得部が前記レンズ画像から前記設定値を取得するまで前記撮像素子の位置を移動させるものとしてもよい。こうすれば、撮像素子を移動させてレンズ筒に表示された設定値を取得することが可能であるため、より確実にレンズに関する情報を得ることができる。
【００１３】
本発明の撮影装置は、画像を表示する表示部、を備え、前記出力手段は、前記取得した設定値を前記表示部へ出力するものとしてもよい。こうすれば、レンズ筒を見て設定値を確認しファインダーを見て被写体を確認する、などする必要がないため、撮影しやすい。このとき、前記出力手段は、前記設定値を被写体の画像と共に前記表示部に表示させるものとしてもよい。こうすれば、被写体から目を離して現在のレンズの設定を確認する必要が無く、より撮影しやすい。
【００１４】
本発明の撮影装置は、前記本撮影の画像データを記憶する記憶部、を備え、前記出力手段は、前記本撮影の画像データに対応付け、前記取得した設定値を前記記憶部へ出力するものとしてもよい。こうすれば、画像データの撮影条件があとで確認可能であり、この撮影条件を利用することができる。
【図面の簡単な説明】
【００１５】
【図１】デジタルカメラ２０の構成の概略を示す構成図。
【図２】デジタルカメラ２０の断面図。
【図３】レンズ情報取得処理ルーチンの一例を示すフローチャート。
【図４】レンズユニット２１Ａの情報を取得する説明図。
【図５】レンズユニット２１Ｂの情報を取得する説明図。
【図６】ＥＶＦ２６の表示画面８０の説明図。
【図７】画像データ９０及び撮影情報９２の説明図。
【図８】レンズユニット正面に表示された情報の説明図。
【図９】デジタルカメラ２０Ｂ〜２０Ｄの説明図。
【図１０】デジタルカメラ２０Ｅの説明図。
【図１１】表示画面８１の説明図。
【発明を実施するための形態】
【００１６】
次に、本発明の実施の形態を図面に基づいて説明する。図１は本発明の一実施形態であるデジタルカメラ２０の構成の概略を示す構成図、図２はデジタルカメラ２０の図１のＡ−Ａ断面図である。本実施形態のデジタルカメラ２０は、図１に示すように、被写体からの光を入射するレンズユニット２１と、画像を表示する表示部２５と、ユーザーからの入力を受け付ける操作部３０と、メモリーカードＭＣとのデータのやりとりを行うメモリーカードコントローラー３６と、装置全体を制御するメインコントローラー４０と、撮影を実行する撮像部５０と、レンズユニット２１の撮影に関する設定情報をレンズユニット２１の外観から取得する設定取得ユニット６０とを備えている。
【００１７】
レンズユニット２１は、レンズマウントである取付部５６を介して装着及び取外し可能にデジタルカメラ２０の筐体１１に取り付けられている。このレンズユニット２１は、凸レンズと凹レンズとを組み合わせて構成され、その一部がレンズ筒の内部を軸方向に移動可能に構成されたレンズ群２２と、光量を調節する絞り機構２３と、レンズ筐体（レンズ筒）の上部に撮影時に変化する設定値が表示される設定表示部２４とを備えている。レンズ群２２は、レンズユニット２１のレンズ筒の前方側に固定された固定レンズと、レンズ筒の後方側（取付部５６側）に支持された移動レンズとを有している。このレンズユニット２１は、筐体１１側に電子接続されない、いわゆるオールドレンズユニットとして構成されている。このレンズユニット２１は、レンズ筒の外周に配設された１以上のリングを回転させることにより、絞り値、Ｆ値、Ｔ値、距離計値及び焦点距離などの設定値を変更することができる。このレンズユニット２１では、リングやレンズ筒に設けられた、設定表示部２４の指標（○や△や｜など）と数字との位置関係で、現在の各設定値を把握することができる。
【００１８】
表示部２５は、ファインダー画像撮像部５４のイメージセンサーで得られたファインダー画像を表示するＥＶＦ（Ｅｌｅｃｔｒｏｎｉｃ  Ｖｉｅｗ  Ｆｉｎｄｅｒ）２６と、各種設定画面や、レンズユニット２１から得られる撮影画像を表示するモニター２８とを備えている。
【００１９】
操作部３０は、デジタルカメラ２０を起動、終了する際に押下される電源キー３２や、ユーザーの操作によって押下されるとレンズユニット２１を通じてイメージセンサー５１上に結像した画像を取り込むタイミングをメインコントローラー４０へ出力するシャッターキー３４などを含む。シャッターキー３４は、ユーザーの操作によって半押しや全押しが可能であり、半押し状態では半押し信号をメインコントローラー４０へ出力し、半押し状態後に全押しすることにより全押し信号をメインコントローラー４０へ出力する。なお、図示しないが、操作部３０には、撮影モードを設定可能なダイヤルスイッチ、シャッタスピードを設定するボタン、ホワイトバランスを設定するためのボタンなど撮影に必要な一連の設定を行うためのボタンが配設されている。
【００２０】
メモリーカードコントローラー３６は、メモリーカードＭＣに記憶された画像データを読み出したり、撮像部５０で生成された画像データをメモリーカードＭＣに書き込む処理などを実行する。デジタルカメラ２０では、Ｆ値、焦点距離、シャッタースピードなど撮影条件を含む撮影情報を格納して画像データを保存する。
【００２１】
メインコントローラー４０は、ＣＰＵ４２を中心とするマイクロプロセッサとして構成されており、処理プログラムや各種テーブルを記憶するフラッシュメモリー４３と、データを一時的に記憶するＲＡＭ４４と、外部機器とのデータのやりとりを行うインターフェイス（Ｉ／Ｆ）４５とを備えている。メインコントローラー４０には、操作部３０からの各種の入力信号や、メモリーカードＭＣから読み出した各種データ、撮像部５０からの各種信号などが入力される。また、メインコントローラー４０からは、メモリーカードＭＣへ書き込む各種データ、表示部２５への信号などが出力される。
【００２２】
撮像部５０は、レンズユニット２１を通った光により撮影を行うイメージセンサー５１や、電気信号から画像データを生成する画像生成部５２、レンズユニット２１を制御するレンズ制御部５３、ファインダー画像を生成するファインダー画像撮像部５４、画像撮影に用いられる構造などを含む撮像機構５５などを備えている。イメージセンサー５１は、光を光電変換によって電気信号に変換するセンサーである。このイメージセンサー５１は、マトリックス状に配置された複数のフォトダイオードと、各フォトダイオードごとに形成されフォトダイオードから受け取った電荷を転送するＣＣＤとを備えている。なお、イメージセンサーとしては、ＣＭＯＳ型のイメージセンサーを採用してもよい。画像生成部５２は、イメージセンサー５１から出力された電気信号をデジタル信号に変換するアナログフロントエンド（ＡＦＥ）や、ホワイトバランス処理やシャープネス処理やガンマ補正処理などを行いデジタル信号から画像データを生成する処理実行部などを備えている。ファインダー画像撮像部５４は、ファインダー用イメージセンサーを備え、ファインダー用の画像を生成する。撮像機構５５は、例えばレンズユニット２１を筐体１１へ装着する取付部５６や、レンズユニット２１とイメージセンサー５１との間に配置されたシャッター５７などを含んでいる。取付部５６は、電子接点を有しＦ値などの設定値を電気的に取得及び指示可能なレンズユニットのほか、電子接点を有さず設定値を電気的に取得不能なレンズユニットを装着、取り外し可能に構成されている。
【００２３】
設定取得ユニット６０は、図１，２に示すように、デジタルカメラ２０の筐体１１上における取付部５６の上方の領域に配設されている。この設定取得ユニット６０は、レンズユニット２１の画像（レンズ画像）を撮影する撮像装置６１と、撮像装置６１を支持する支持部材６２と、支持部材６２を移動させる駆動部６３と、撮影したレンズ画像を解析してレンズの設定値を取得する画像認識部６４と、取得した設定値を出力する出力部６５とを備えている。撮像装置６１は、設定表示部２４に表示された設定値を含むレンズユニット２１のレンズ筒の外観の画像であるレンズ画像を撮影により取得するものである。この撮像装置６１は、レンズとレンズを通過した光を光電変換によって電気信号に変換する撮像センサーとレンズユニット２１を照らす光源とを備えた機構であり、デジタルカメラ２０の正面、取付部５６の上部にレンズユニット２１を見下ろすように配置されている。
【００２４】
支持部材６２は、デジタルカメラ２０の筐体１１側と取付部５６に取り付けられたレンズ筒の先端側との間を移動可能に撮像装置６１を支持する棒状部材である。この支持部材６２は、複数の棒状部材がスライドすることにより、伸長、収縮可能に構成されている。駆動部６３は、図示しないモーターによって、支持部材６２を伸長、収縮させ、撮像装置６１を移動させるものである。設定取得ユニット６０では、取付部５６に装着可能なオールドレンズユニットの種類は予めわかっていることから、この取付部５６に装着されるレンズユニットの設定表示部２４を撮影する複数の位置（筐体１１からの距離）が予め定められており、駆動部６３は、この定められた位置に撮像装置６１が位置するように支持部材６２の長さを調節する。この支持部材６２と駆動部６３とにより、取付部５６に取り付けられたレンズ筒と撮像装置６１との位置を相対的に変化させる位置可変部が構成されている。
【００２５】
画像認識部６４は、レンズ画像を解析し、設定表示部２４に表示されている設定値を取得するものである。この画像認識部６４は、レンズ画像に含まれる指標と数字とを画像認識により認識し、この指標が指す数字を設定値として取得する機能を有している。画像認識部６４は、設定値として、レンズのＦ値、Ｔ値、距離計の値及び焦点距離のうち少なくとも１以上を取得する機能を有している。具体的には、上述のように、取付部５６へ装着可能なレンズユニットの指標位置や指標形状、文字などを予め指標データとして記憶させておき、撮像装置６１の位置に応じて、記憶したデータの中から指標形状や指標位置、文字などを選択し、撮像装置６１により撮影された画像と照らし合わせることにより、画像認識を行うものとした。出力部６５は、画像認識部６４で取得した設定値をコントローラー４０や表示部２５、メモリーカードコントローラー３６へ出力する機能を有している。
【００２６】
次に、こうして構成された本実施形態のデジタルカメラ２０の動作について説明する。図３は、設定取得ユニット６０により実行されるレンズ情報取得処理ルーチンの一例を示すフローチャートである。このルーチンは、電源キー３２がオンにされたあと、取付部５６に装着されたレンズユニット２１から設定値を電気的に得られなかったあと、即ち、取付部５６にオールドレンズユニットが装着されているときに実行される。このルーチンが開始されると、設定取得ユニット６０は、取付部５６に装着されているレンズユニット２１の外観画像であるレンズ画像を撮像装置６１により撮影する（ステップＳ１００）。電源オンの直後では、撮像装置６１は、最も筐体１１側に配置されているものとした。
【００２７】
次に、画像認識部６４がこのレンズ画像の画像認識処理を実行する（ステップＳ１１０）。画像認識処理では、画像認識部６４は、撮像装置６１の位置に応じた指標データを読み出し、レンズ画像と照らし合わせる処理を行う。この画像認識処理により設定値が認識されたか否かを判定し（ステップＳ１２０）、設定値が認識されなかったときには、駆動部６３が次の所定位置に撮像装置６１が配置されるよう、支持部材６２を伸長し（ステップＳ１３０）、ステップＳ１００以降の処理を行う。即ち、設定値が認識されるまでステップＳ１００〜Ｓ１３０の処理を繰り返す。
【００２８】
ここで、ステップＳ１００〜Ｓ１３０の処理を具体的に説明する。図４は、レンズユニット２１Ａの情報を取得する説明図であり、図５は、レンズユニット２１Ｂの情報を取得する説明図である。設定取得ユニット６０の初期位置（図１参照）での撮影によってレンズの設定値が認識されないときは、支持部材６２を伸長する（図４参照）。図４に示すように、伸長した撮像装置６１の位置に合うレンズユニット２１Ａが取付部５６に装着されているときには、撮像装置６１で撮影したレンズ画像７０には、設定表示部２４の数字や指標（●）が含まれる。また、レンズユニット２１Ｂが取り付けられていて現在の位置でもレンズの設定値が認識されないときには、更に支持部材６２を伸長する（図５参照）。図５に示すように、伸長した撮像装置６１の位置に合うレンズユニット２１Ｂが取付部５６に装着されているときには、撮像装置６１で撮影したレンズ画像７１には、設定表示部２４の数字や指標（○）が含まれる。このようにして、レンズ画像から設定表示部２４の数字や指標が認識できるようになる位置へ支持部材６２を伸長する。その後、例えば、図５において、画像認識部６４は、レンズ画像７１から、文字認識を行い文字を抜き出す。文字近傍の指標（○）を認識すると共に、「２．８」、「１．５」といった文字を認識することができる。この中から√２の倍数である「２．８」はＦ値であると認識しＦ値を得る。一方、文字認識した数字には「５０」などの大きな値はないことから、焦点距離が一定の単焦点レンズであることなどが推測できる。更には、下部の文字群には縦線を境に「２，２」や「４，４」など同じ数字のペアが並ぶ。このため、これらの数字は、距離計の値を示していることが推測できる。指標（○）が近くにあることから、被写体が１．５にある設定になっていることが推測できる。また、読み取ったＦ値「２．８」という情報から下部の距離計の範囲を参照し、「１．５」の両隣の「１．２」、「２」という文字から、１．２〜２の範囲にフォーカスが大体合うことが推測できる。このように、デジタルカメラ２０では、電子接点を有さないレンズユニット２１における、Ｆ値や距離計の値など、設定表示部２４に表されているレンズに関する設定情報を、外観の撮影画像から取得するのである。なお、設定表示部２４が暗くなっておりレンズ画像７１の認識が困難である場合には、撮像機構の光源から光を設定表示部２４に照射することで、レンズ画像７１の認識が容易になるようにしてもよい。また、図示しないが、支持部材６２の長さをどのようにしても設定値が認識されないときには、メッセージをモニター２８に表示してこのルーチンを終了するものとしてもよい。
【００２９】
さて、ステップＳ１２０で設定値が認識されたあと、設定取得ユニット６０は、駆動部６３により支持部材６２を固定する（ステップＳ１４０）。続いて、ユーザーによるレンズユニット２１の設定の変更を把握するべく、上記ステップＳ１００，Ｓ１１０と同様に、レンズユニット２１を撮影し（ステップＳ１５０）、画像認識処理を実行し（ステップＳ１６０）、認識した設定値の表示出力を行う（ステップＳ１７０）。この表示出力は、出力部６５が設定値を表示部２５に表示させるものとした。図６は、ＥＶＦ２６の表示画面８０の一例の説明図である。ここでは、ＥＶＦ２６へ設定値を表示する例を示した。図６に示すように、ＥＶＦ２６に表示された表示画面８０は、ファインダー画像撮像部５４で撮影したファインダー画像上に、シャッタースピードや設定値としてのＦ値などを含む情報表示部８２を重ね合わせた画面として構成されている。ここでは、距離計の値から推測されたフォーカス範囲（１．２〜２）をも表示するため、フォーカスアシストの役目も果たすことができる。ユーザーは、このような表示画面８０を見ながら写真撮影を行う。
【００３０】
そして、シャッターキー３４が押下され本撮影が行われたか否かを判定し（ステップＳ１８０）、本撮影が行われたときには、設定値の記憶出力を実行する（ステップＳ１９０）。この記憶出力は、コントローラー４０からシャッターキー３４の押下信号が入力されたあと、設定値をメモリーカードコントローラー３６へ出力するものとした。これを受けたコントローラー４０がメモリーカードコントローラー３６を介して本撮影の画像データ及びこの撮影時の設定値をメモリーカードＭＣへ保存する。図７は、画像データ９０及び撮影情報９２の説明図である。図７に示すように、撮影情報９２には、撮像部５０から得られた撮影モードや撮影日時、シャッタースピードなどの情報のほか、設定取得ユニット６０で得られたＦ値、距離計の値、焦点距離などが含まれている。なお、図８に示すように、レンズユニット２１の正面画像を、事前に別のレンズを用いて撮影し、画像認識部６４により文字認識することによって、焦点距離を取得するものとしてもよい。例えば、３５ｍｍやＦ１．２という文字を認識し、焦点距離などの情報を取得することができる。
【００３１】
ステップＳ１９０のあと、又は、ステップＳ１８０で本撮影が行われていないときには、撮影が終了したか否かを電源キー３２のオフ操作が行われたか否かに基づいて判定し、（ステップＳ２００）、撮影が終了していないときには、ステップＳ１５０以降の処理を実行する。一方、撮影が終了したときには、支持部材６２を縮め、撮像機構を待機位置に移動させてから（ステップＳ２１０）、このルーチンを終了する。このように、デジタルカメラ２０の取付部５６に電子接点を有さないオールドタイプのレンズユニット２１が装着されているときには、設定取得ユニット６０により、レンズユニット２１の外観画像を取得し、設定値を表示出力したり、記憶出力したりするのである。
【００３２】
ここで、本実施形態の構成要素と本発明の構成要素との対応関係を明らかにする。本実施形態の取付部５６が本発明の取付部に相当し、撮像装置６１、支持部材６２及び駆動部６３が画像取得部に相当し、撮像装置６１が撮像素子に相当し、支持部材６２及び駆動部６３が位置可変部に相当し、支持部材６２が支持部材に相当し、駆動部６３が駆動部に相当し、画像認識部６４が情報取得部に相当し、出力部６５が出力部に相当し、撮像部５０が本撮影部に相当し、表示部２５が表示部に相当し、メモリーカードコントローラー３６が記憶部に相当する。
【００３３】
以上詳述した本実施形態のデジタルカメラ２０によれば、撮影時に変化する設定値が表示されたレンズ筒の外観画像であるレンズ画像を取得し、レンズ画像を解析し、レンズ画像に含まれる指標と数字とを画像認識により認識し、この指標が指す数字を設定値として取得し、取得した設定値を出力する。このように、例えば、電子接点を有さないレンズ筒が取り付けられたときでも外観画像からレンズ情報を取得することができる。したがって、できるだけ多くのレンズに関する情報を取得してこれを利用することができる。また、設定値として、レンズのＦ値、距離計値及び焦点距離のうち少なくとも１以上を取得するため、これらの情報をあとで利用することができる。更に、設定取得ユニット６０は、デジタルカメラ２０の筐体１１上における取付部５６の上方の領域に配設されているため、取付部５６に取り付けられたレンズ筒に表示された設定値を取得しやすい。更にまた、撮像装置６１と支持部材６２、駆動部６３を備えるため、撮像素子を支持部材により支持して移動させ、レンズ筒に表示された設定値を取得することが可能であり、より多種のレンズ筒のレンズに関する情報をより確実に得ることができる。そして、ファインダー画像に設定値を重ねた画面を表示部２５に表示するため、ユーザーは被写体から目を離して現在のレンズの設定を確認する必要が無く、より撮影しやすい。画像データ９０の撮影情報９２に設定値を格納するため、画像データの撮影条件があとで確認可能であり、この撮影条件を利用することができる。
【００３４】
また、設定値を用いて、自動露出などの精度を向上することができる。更に、撮像装置６１で実現可能であるため、安価に且つ簡便に実現することができる。更にまた、画像認識のアルゴリズムを変更するだけで多種多様な交換レンズに対応することができる。そして、ＥＶＦ２６へファインダー画像と共に設定値を表示するため、ファインダーを覗いたまま現在の設定を確認することができるため、撮影に集中することができる。そしてまた、シャッターチャンスを逃しにくいという利点がある。
【００３５】
なお、本発明は上述した実施形態に何ら限定されることはなく、本発明の技術的範囲に属する限り種々の態様で実施し得ることはいうまでもない。
【００３６】
例えば、上述した実施形態では、棒状部材の支持部材６２を伸長して設定表示部２４を撮影する設定取得ユニット６０を備えたデジタルカメラ２０としたが、設定取得ユニット６０の構造はこれに限られない。具体的には、以下の態様としてもよい。図９は、デジタルカメラ２０Ｂ〜２０Ｄの説明図であり、図１０は、デジタルカメラ２０Ｅの説明図である。例えば、図９（ａ）に示すように、筐体１１の上部に固定された設定取得ユニット６０Ｂを備えたデジタルカメラ２０Ｂとしてもよい。即ち、支持部材６２や駆動部６３を省略してもよい。こうすれば、より構成を簡略化しつつ、できるだけ多くのレンズに関する情報を取得することができる。また、図９（ｂ）に示すように、筐体１１の上部に固定された支持部材６２Ｃの先端に、上下方向に回動可能に撮像装置６１を支持する設定取得ユニット６０Ｃを備えたデジタルカメラ２０Ｃとしてもよい。即ち、支持部材６２が取付部５６側とレンズユニット２１の先端側とに撮像装置６１を移動可能に支持するものとしなくてもよい。こうしても、できるだけ多くのレンズに関する情報を取得することができる。なお、撮像装置６１の回動は、モーターで制御して行ってもよいし、ユーザーが手動で行ってもよい。また、図９（ｃ）に示すように、レンズユニット２１の先端に撮像装置６１を固定し、無線通信又は図示しないケーブルを用いた有線通信でレンズ画像を画像認識部６４へ送信する設定取得ユニット６０Ｄを備えたデジタルカメラ２０Ｄとしてもよい。こうしても、できるだけ多くのレンズに関する情報を取得することができる。
【００３７】
あるいは、図１０に示すように、一端が回動可能に筐体１１へ軸支されると共に、他端が自由端でありレンズユニット２１に対して平行に撮像装置６１が回動移動する伸縮可能な支持部材６２Ｅを有する設定取得ユニット６０Ｅを備えたデジタルカメラ２０Ｅとしてもよい。こうしても、できるだけ多くのレンズに関する情報を取得することができる。
【００３８】
上述した実施形態では、駆動部６３により駆動されて撮像装置６１が移動するものとしたが、特にこれに限定されず、駆動部６３を省略してもよい。このとき、ユーザーが手動で撮像装置６１を移動させるものとしてもよい。また、上述した実施形態では、駆動部６３を備え、画像認識部６４で設定値が認識されるまで、支持部材６２を伸長するものとしたが、特にこれに限定されない。
【００３９】
上述した実施形態では、画像認識部６４は、レンズ画像に含まれる指標と数字とを画像認識により認識し、この指標が指す数字を設定値として取得するものとしたが、レンズ画像を解析し設定値を取得するものとすれば、特にこれに限定されない。また、上述した実施形態では、オールドレンズユニットに関するデータとして予め指標データを記憶しておき、これとレンズ画像とを照合して各設定値を取得するものとしたが、特にこれに限定されず、指標の形状と文字形状のパターンのみを記憶し、指標データを用いずに画像認識のみで設定値を取得するものとしてもよい。こうすれば、メーカーで把握していないレンズユニットにも対応可能であり、より多くのレンズに関する情報を取得することができる。
【００４０】
上述した実施形態では、設定取得ユニット６０は、デジタルカメラ２０の筐体１１上における取付部５６の上方の領域に配設されているものとしたが特にこれ印限定されない。
【００４１】
上述した実施形態では、情報表示部８２を表示した表示画面８０をＥＶＦ２６に表示するものとしたが、表示方法はこれに限られない。例えば、表示画面８０をモニター２８に表示してもよい。また、情報表示部８２をオーバーレイした表示画面８０としたが、情報表示部８２をミニウインドウとして表示させてもよい。また、設定値を情報表示部８２に数字として表示するものとしたが、図１１に示すように、レンズ画像を表示する情報画像表示部８４を設けた表示画面８１をＥＶＦ２６に表示するものとしてもよい。こうしても、Ｆ値などを確認しやすい。
【００４２】
上述した実施形態では、設定取得ユニット６０で取得した設定値を表示部２５に表示出力したり、メモリーカードＭＣへ記憶出力するものとしたが、取得した設定値を出力するものとすれば特に限定されず、いずれか一方を省略してもよいし、新たな出力、例えば印刷出力や音声出力などを加えるものとしてもよい。
【００４３】
上述した実施形態では、電源操作に応じてルーチンの開始や終了を行ったが、撮影モードと再生モードなどの撮影以外のモードがある場合に、撮影モードと撮影以外のモードとの間のモード切り換え操作にも応じてルーチンの開始や終了を行うものとしてもよい。また、最初に撮影と画像認識とを行うことで支持部材の伸長をするかを判断するものとしたが、最初に前回の支持部材の長さまで支持部材の伸長をし、その後に撮影と画像認識とを行うことで支持部材の伸縮をするかを判断してもよい。さらに、画像認識で取得した設定値をそのまま出力することに限られず、画像認識で取得した設定値に基づいて変換を行ったものを設定値として間接的に出力してもよい。
【００４４】
上述した実施形態では、画像認識部６４は、設定値としてレンズの絞り値、Ｆ値、Ｔ値、距離計の値及び焦点距離のうち少なくとも１以上を取得する機能を有しているものとしたが、これらのうち１以上の値の取得機能を省略してもよいし、これら以外の値を取得可能に構成してもよい。
【００４５】
上述した実施形態では、本発明をデジタルカメラ２０に適用して説明したが、デジタルビデオカメラに適用してもよいし、デジタルカメラの制御方法としてもよいし、このプログラムとしてもよい。
【符号の説明】
【００４６】
１１  筐体、２０，２０Ｂ〜２０Ｅ  デジタルカメラ、２１，２１Ａ，２１Ｂ  レンズユニット、２２  レンズ群、２３  絞り機構、２４  設定表示部、２５  表示部、２６  ＥＶＦ、２８  モニター、３０  操作部、３２  電源キー、３４  シャッターキー、３６  メモリーカードコントローラー、４０  メインコントローラー、４２  ＣＰＵ、４３  フラッシュメモリー、４４  ＲＡＭ、４５  Ｉ／Ｆ、５０  撮像部、５１  イメージセンサー、５２  画像生成部、５４  ファインダー画像撮像部、５５  撮像機構、５６  取付部、５７  シャッター、６０  設定取得ユニット、６１  撮像装置、６２  支持部材、６３  駆動部、６４  画像認識部、６５  出力部、７０，７１  レンズ画像、８０，８１  表示画面、８２  情報表示部、８４  情報画像表示部、９０  画像データ、９２  撮影情報、ＭＣ  メモリーカード。
【図１】
2012186726.tif 000003
【図２】
2012186726.tif 000004
【図３】
2012186726.tif 000005
【図４】
2012186726.tif 000006
【図５】
2012186726.tif 000007
【図６】
2012186726.tif 000008
【図７】
2012186726.tif 000009
【図８】
2012186726.tif 000010
【図９】
2012186726.tif 000011
【図１０】
2012186726.tif 000012
【図１１】
2012186726.tif 000013